(57)【要約】【目的】サッカー競技から分化発展した新しいミニサッカーを提唱し、該ミニサッカーの競技場となるピッチの構造に関するもので、ピッチが小型化されたミニサッカーのタッチライン、ゴールラインに係わるゲームの中断をピッチの構造を変えることによりなくすことにある。【構成】ミニサッカーのタッチライン、ゴールラインの位置に内Ｒで立ち上がる内Ｒ壁面、及び該内Ｒ壁面上方部より立ち上がるボール制止壁を設け、該内Ｒ壁面とボール制止壁により、前記タッチライン及びゴールラインを割る筈のボールをボール制止壁、または内Ｒ壁面で阻みでピッチ内に戻し、ゲームを中断させることのない、ミニサッカーのピッチ構造。【選択図】　　　図１
2004033516.tif 000002
【特許請求の範囲】
【請求項１】
ミニサッカーのタッチライン、ゴールラインの位置に内Ｒで立ち上がる内Ｒ壁面を設け、該内Ｒ壁面の上部より垂直に立ち上がるボール制止壁を連続して設け、該ボール制止壁と前記内Ｒ壁面により前記タッチライン及びゴールラインを割るボールをピッチ面に戻すことによりゲームを中断させることのないミニサッカーのピッチ構造。
【請求項２】
ミニサッカーのタッチライン、ゴールラインの位置に内Ｒで立ち上がる内Ｒ壁面を設け、該内Ｒ壁面の上部より垂直に立ち上がるボール制止壁を連続して設け、該垂直に立ち上がるボール制止壁をオーバーしてピッチ外に飛び出すボールを阻止するために前記ボール制止壁の先端縁部に約４５度の角度にてピッチ内方向に張り出した補助制止壁を設けたことを特徴とする請求項１記載のミニサッカーのピッチ構造。
【請求項３】
ミニサッカーのタッチライン、ゴールラインの位置に内Ｒで立ち上がる内Ｒ壁面を設け、該内Ｒ壁面の上部より立ち上がるボール制止壁を前記内Ｒ壁面のＲ形状に沿った形でピッチ内部側に湾曲させた形状で設けたことを特徴とする請求項１記載のミニサッカーのピッチ構造。
【請求項４】
ミニサッカーのタッチライン、ゴールラインの位置に内Ｒで立ち上がる内Ｒ壁面を設け、該内Ｒ壁面の上部より立ち上がるボール制止壁を連続して設けた構成において屋根部からボールがピッチ外に飛び出すことを防止するために該屋根部をネットで覆い被せたことを特徴とする請求項１乃至請求項３記載のミニサッカーのピッチ構造。
【請求項５】
ミニサッカーのタッチライン、ゴールラインの位置に内Ｒで立ち上がる内Ｒ壁面を設け、該内Ｒ壁面の上部より立ち上がるボール制止壁面をピッチ面全体を覆い被すドーム形状としたことを特徴とする請求項１記載のミニサッカーのピッチ構造。
【請求項６】
タッチラインとゴールラインの交わるピッチ面上の四隅は平面上のＲ形状とし、該部分も断面形状的には内Ｒ壁面が立ち上がる構成にしたことを特徴とする請求項１乃至請求項５記載のミニサッカーのピッチ構造。
【請求項７】
ミニサッカーのタッチライン、ゴールラインの位置に内Ｒで立ち上がる内Ｒ壁面を設け、該内Ｒ壁面の上部より立ち上がるボール制止壁を設けるに当たり、該ボール制止壁は支柱や骨組みをアルミ形材で構成し、ピッチ内のゲームが外部より観戦出来るようにネット、合わせガラス、ポリカーボネイトにて構成することを特徴とする請求項１乃至請求項６記載のミニサッカーのピッチ構造。
【請求項８】
ミニサッカーのタッチラインとゴールラインの位置に内Ｒで立ち上がる内Ｒ壁面を設け、該内Ｒ壁面の上部より立ち上がるボール制止壁にてピッチを覆った構成において、該ピッチ内に設置される一対のゴールはピッチ面上になく空中で支持された構成であることを特徴とする請求項１乃至請求項７記載のミニサッカーのピッチ構造。
【請求項９】
ミニサッカーのタッチラインとゴールラインの位置に内Ｒで立ち上がる内Ｒ壁面を設け、該内Ｒ壁面の上部より立ち上がるボール制止壁にてピッチを覆った構成において、該ピッチ内に設置される一対のゴールはピッチ面上になく空中で支持され、該支持体に対して略４０度から５０度下向きにその開口を向けて設置されていることを特徴とする請求項１乃至請求項８記載のミニサッカーのピッチ構造。
【請求項１０】
ミニサッカーのタッチラインとゴールラインの位置に内Ｒで立ち上がる内Ｒ壁面を設け、該内Ｒ壁面の上部より立ち上がるボール制止壁にてピッチを覆った構成において、該ピッチ内に設置される一対のゴールは該ゴールの支持部にて設置されるゴールのピッチ面からの高さを調整可能として、または一旦取り外してバスケットボールのリングを取り付けることにより、バスケットボールのコートに変更できることを特徴とする請求項１乃至請求項９記載のミニサッカーのピッチ構造。
【請求項１１】
ミニサッカーのタッチラインとゴールラインの位置に内Ｒで立ち上がる内Ｒ壁面を設け、該内Ｒ壁面の上部より立ち上がるボール制止壁にてピッチを覆った構成に置いて、該ピッチ内に設置される一対のゴールはそれぞれ、金属製の鎖等を編んで網状に形成したゴールネットが設けられており、ゴールしたボールは前記金属製ゴールネットに当たり強い金属音を発することを特徴とした請求項１乃至請求項１０記載のミニサッカーのピッチ構造。
【請求項１２】
請求項１乃至請求項１１記載の内Ｒで立ち上がる内Ｒ壁面を全て外Ｒで立ち上がる外Ｒ壁面にしたことを特徴とするミニサッカーのピッチ構造。
【請求項１３】
請求項１乃至請求項１２記載のピッチ構成物を軽量化のために全て合成樹脂にて構成したことを特徴としたミニサッカーのピッチ構造。
【発明の詳細な説明】
【０００１】
【発明の属する技術分野】
本発明はサッカー競技から分化発展した新しいミニサッカーを提唱し、該ミニサッカーの競技場となるピッチの構造に関するものである。
【０００２】
【従来の技術】
サッカー競技に使用されるフィールド、即ち、ピッチはタッチラインとゴールラインにより囲まれた縦の長さが９０ｍ以上１２０ｍ以下、横の長さが４５ｍ以上９０ｍ以下の大きなスペースを必要とし、該スペース全面に良好に育生させた芝を植設、管理する等、施設を建設するには、膨大な費用がかかり、都会では建設スペースの入手が困難であると共に、１チーム１１人、総勢２２人で行われるゲームは、小子化のなかで気軽にプレイすることを楽しめるスポーツではなくなってきている。
【０００３】
斯くして、サッカー競技から分化発展し、小さなスペースで、何時でも何処でも楽しめるものとして工夫され、ピッチをサッカー場の半分以下に小型化したミニサッカーという競技が種々考案され、行われるようになってきた。
【０００４】
例えば、８人制ミニサッカー、ガーデンフットボール、サロンフットボール、６人制サッカー等、ピッチを小型化して、競技者の数を少なくし、且つ、競技時間を短くしているのが特徴で、ルールは簡略化しているが、基本ルールはサッカーの基本ルールを残している。
【０００５】
ピッチを小型化したミニサッカーはボールの弾みを押さえるため、ボールの空気圧を落としたり、重いボールを使用しているが、大型ピッチでプレイするサッカーと同様にプレイ中、タッチラインをボールが割ればスローイン、ゴールラインをボールが割ればゴールキックやコーナーキック、或いは、反則があった場合の間接フリーキックといったように、ゲームが途切れることが多い。
【０００６】
従って、上述したミニサッカーは、観客を集めて、プレイヤーと観客が一体となって盛り上がるイベント性に欠け、通常はサッカー選手の高度な技術養成に活用され、対敵動作の敏捷性、プレーの早さ、ボール扱いの正確さ、パス、シュートの正確さ等のトレーニングに採用されているのが現況である。
【０００７】
【発明が解決しようとする課題】
斯くして、本発明はピッチが小型化されたミニサッカーのラインに纏わるゲーム中断をピッチの構造を変える事により解決して、より簡便な設備で運動量の激しいエキサイティングなスポーツが少人数で気軽に楽しめ、また観客も選手と一体感をもって楽しめるピッチの構造を提供するものである。
【０００８】
【課題を解決するための手段】
本発明のピッチは、例えば縦の長さが３０ｍ、横の長さ（幅）が１２ｍ程度あり、テニスコート程にピッチを小型化している。ピッチの区切りはタッチラインまたは、ゴールラインではなく、ピッチの平面部から内Ｒで立ち上がった内Ｒ壁面、該内Ｒ壁面の上方から垂直に立ち上がったネット、または、合わせガラス、ポリカーボネイト等、透視部材からなるボール制止壁により空中に上がったボールでも、ボール制止壁に阻まれてピッチ内に落下して、タッチラインやゴールラインを割ることなくゲームが続けられる構成とした。
【０００９】
また、タッチラインとゴールラインの交わるピッチの四隅に関しても、四隅を比較的大きなＲ形状とし、該Ｒ形状の四隅が内Ｒ壁面で立ち上がっている形状として、ピッチ水平面の四隅でもボールの動きを止めないよう構成されている。
【００１０】
更に、縦方向の端部にはそれぞれ対向して、ゴールが設置されており、該ゴールのサイズは、上下のクロスバー間（縦）１．２ｍ、ゴールポスト間（幅）１．２ｍの開口を持っており、金属製の鎖等を編んで網状にしたゴールネットが設けられている。ゴールは両サイドのピッチ面から２ｍの高さに４５度の角度を付けて装架されている。従ってゴールの設置位置、並びに形状は空中に上がったボールのみが、入るよう構成されており、ゴールしたボールは前記金属製ゴールネットに当たり金属音を発する。
【００１１】
斯くして、本発明はピッチのタッチライン、ゴールラインの位置に内Ｒで立ち上がった内Ｒ壁面、及び該内Ｒ壁面の上方から立ち上がったボール制止壁により、ボールが空中に上がっても、ボール阻止壁に阻まれてピッチ内に落下するので、ゲームの中断がなく、また、ゴールは空中に装架されているため、高度なテクニックである空中戦を征しないと得点を得ることが出来ないので、運動量の激しいエキサイティングなゲームが少人数で気楽に楽しめるミニサッカーのピッチ構造を提供するものである。
【００１２】
【発明の実施の形態】
以下、本発明に係るミニサッカーのピッチ構造を実施例図１乃至図６に基づき詳説する。
図１乃至図６に於いて同一符号は同一構成要素を示しており、図１は本発明の一実施例を説明する斜視図、図２は図１の平面図、図３は本発明に使用されるゴールの一例を示す拡大斜視図、図４乃至図６はそれぞれ他の実施例を説明する側断面図を示している。
【００１３】
図１及び図２に於いて、１はピッチ構造体を示し、２はピッチ面、３はピッチ面２に描かれたセンターサークル、４はハーフウエイライン、５，５’は互いに対向して設けられたゴール、６は前記ピッチ面２の平面部から内Ｒで立ち上がった内Ｒ壁面、７は外側壁をそれぞれ示している。
【００１４】
内Ｒ壁面６と外側壁７が構成するピッチ面２からの立ち上がり部８には支柱９ａ，９ｂ，９ｃ，・・・が垂直に植設されており、該支柱９ａ，９ｂ，９ｃ，・・・間には、例えばネット、または、合わせガラス、ポリカーボネイト等、透視材からなるボール制止壁１０ａ，１０ｂ，１０ｃ，・・・が構成されている。
【００１５】
而して前記内Ｒ壁面６とボール制止壁１０ａ，１０ｂ，１０ｃ，・・・はサッカーや、従来型のミニサッカーに於けるタッチライン及びゴールラインの代わりを成すもので、ゲーム中に、タッチラインまたは、ゴールラインを割るはずのボールは、前記内Ｒ壁面６や、ボール制止壁１０ａ，１０ｂ，１０ｃ，・・・等に当たりピッチ面２に落下して戻されるので、スローインやゴールキック、及びコーナーキック等のゲーム中断がなくなり、連続したプレイが楽しめる。
【００１６】
また、タッチラインとゴールラインの交わるピッチ面２の四隅に関しても、隅部１１ａ，１１ｂ，１１ｃ，１１ｄを平面的に見て比較的大きなＲ形状とする。そしてＲ形状の四隅が内Ｒ壁面で立ち上がっていく形状を採用することにより、隅でボールが止まることもなく、ピッチ面２にボールが常に戻るよう構成されている。
【００１７】
更にピッチ構造体１の縦方向端部にはそれぞれ対向して、ゴール５，５’が前記支柱９ａ，９ｂ、９ｃ，・・・に上下動可能に設置されており、図３は該ゴール５の設置状況を示す拡大斜視図である。
【００１８】
図３に於いてゴール５，５’のサイズは、上下のクロスバー１２，１２’間が縦方向で１．２ｍ、ゴールポスト１３，１３’間が幅方向で１．２ｍの正方形の開口１４を有しており、ボールの受け材として、金属製の鎖等を編んだゴールネット１５が設けられている。
【００１９】
ゴール５は前記支柱９ｅ、９ｆにピッチ面２から２ｍの高さに４５度の角度をもって、図３の如く装架されておりゴール５は空中に上がったボールのみが入るよう構成され、該高さは支柱９ｅ，９ｆに設けられた上下動可動機構にて調整可能である。また、前記ゴール５に設けられた金属製ゴールネット１５はボールがゴールされたとき、該金属製ゴールネット１５に当たり金属音を発して雰囲気を盛り上げる。また、前記上下可動機構にバスケットボールのリングを取り付けることにより、ミニサッカーのピッチをバスケットボール用のコートに変えることも出来る。
【００２０】
而して、本発明のミニサッカーに於けるピッチ構造体１は、小型化され図２に示す如く縦の長さＨが３０ｍ、横の長さＷが１２ｍ程度と、テニスコート程になっており、該ピッチ構造体１はアルミ板材または比較的肉厚を薄く出来るＶプロセスアルミ鋳物、或いは合成樹脂やＦＲＰ等を使用すれば比較的軽量に製作でき、一体構造として、競技会場に大型ヘリコプターにて吊り上げて輸送して、会場を盛り上げる等のイベント性を備えたり、二分割または、四分割したり、更にはベースとピッチ面を分割したり、ボール制止壁とピッチ面を分割する、等々、といったように、細かく細分化して、それぞれをパーツ形状と成し、該パーツを会場にて組み立てることも可能である。
【００２１】
斯くして、本発明のミニサッカーのピッチ構造体１は大きな特徴として、従来のサッカーやミニサッカーがゲーム中にボールがタッチラインを割ればスローイン、ゴールラインを割ればゴールキックやコーナーキックといったように、それぞれの動作に入るまでのゲームの中断を、内Ｒ壁面６、及び該内Ｒ壁６上方から連続して設けられたボール制止壁１０ａ、１０ｂ，１０ｃ，・・・にて、従来ボールであれば、ライン割れをするボールを前記ピッチ面２に戻してやることで、中断のない連続したゲームを行えるように構成した。
【００２２】
またハーフウエイライン４を挟んで対向して設けられたゴール５，５’はピッチ面２より２ｍ程高い位置に設置されていて、空中に浮いたボールのみがゴールする構成であることから、平面上にてゴールすることはなく、常にボールを空中に浮かすジャンピングヘディングシュートやボレーシュート、或いはオーバーヘッドキック等のテクニックを効果的に使わざる得ず、派手で見応えのあるゲームが期待出来る。
【００２３】
次に図４乃至図６にて、それぞれの実施例を説明する。図４は図２のＡ−Ａ’断面を示す側断面図であり、１はピッチ構造体、２はピッチ面を示し、該ピッチ面２の平面部から内Ｒで立ち上がった内Ｒ壁面６、該内Ｒ壁面６の外部側に設けられた外側壁７、該外側壁７と内Ｒ壁面６が構成する立ち上がり部８から垂直方向に設けられたボール制止壁１０が設けられている。尚、５はゴールを示している。斯くして、本実施例の特徴は前記ボール制止壁１０の先端部に、更にボールがピッチ外に飛び出さないように略４５度の角度にて補助制止壁１６（想像線にて示す）を設けたものである。
【００２４】
図５は前記ボール制止壁１０を内Ｒ壁面６のＲ形状に沿った形でピッチ内部側に湾曲させて湾曲制止壁１７を構成したものであり、該湾曲制止壁１７はピッチ内部側に大きく張り出し、ボールをピッチ外に出させないようにしている。更に、本実施例では屋根部をネット１８（想像線にて示す）にて覆うことにより、
ボールを完全に外に出さない構成とすることが出来る。また、屋根部をネット１８にて覆う方法は図１の実施例及び図４の実施例にも利用できることは言うまでもないことである。
【００２５】
図６は図５の実施例をより発展させたもので、ボール制止壁をドーム１９形状にしたものである。ピッチ面２を覆い被すドーム１９は骨材をアルミ押出型材にて形成して、全体をネットで覆うことや、アルミ押出型材や合成樹脂の断面形状を窓枠型に構成することで、合わせガラスやポリカーボネイトをはめ込み、外部から観客がゲームを楽しめるドームピッチを作ることが出来る。
【００２６】
また、本発明の説明に於いては、ピッチ面２からの立ち上がり内Ｒ壁面６はボールをピッチ面２に静止することなく戻すための凹部形状で詳説したが、該壁の形状は凸部形状の外Ｒ壁にすることで、アイスホッケーようなフェンス際の競り合いを惹起する事も可能である。
【００２７】
斯くして、本発明は小型化したピッチ内で、競技者が１チーム３名、合計６名、入場してプレイする新しいミニサッカーを提唱し、該ミニサッカーのピッチ構造を詳説したが、本発明のピッチ構造は、例えば下記の基本ルールを持つゲームに使用されて、最大の効果を発揮出来る。
【００２８】
尚、基本的なルールとしては、
▲１▼１チーム３名が他のチーム３名と対戦する。
▲２▼３分間１ラウンドで５ラウンドのプレイを行い、３ラウンド先取りにより勝敗を決定する。各ラウンド間の休憩時間は３分とする。
▲３▼選手交代は各ラウンドの休憩時間中にのみ可能とする。
▲４▼肩から手の平に部分にボールが触れてはならない。
▲５▼危険行為による違反者は即刻ピッチ外に設けられたペナルティーボックスに退場させられる。
▲６▼ボールがタッチライン及びゴールラインの代わりに設けられた内Ｒ壁と、該内Ｒ壁から立ち上がったボール制止壁を越えてピッチ外に出た場合に　はボールをセンターサークルにリセットして、プレイを再開する。従って　ピッチ全体を内Ｒ壁とボール制止壁にて覆ってしまったり、ドーム形状　　に構成すれば、ボールのセンターサークルへのリセットは不要となる。
▲７▼審判員はピッチ外にてジャッジし、主審１名、副審１名で行われる。
【００２９】
【発明の効果】
以上述べたように本発明は、前記基本ルールに基づきプレイされる新しいミニサッカーを提唱し、該ゲームに最適な小型のピッチ構造を提案したもので、従来のサッカーやミニサッカーが、ゲーム中にボールがピッチ面２上に描かれたタッチラインを割ればスローイン、ゴールラインを割ればゴールキックやコーナーキックといったように、それぞれの動作に入るまでのゲームの中断を余儀なくされていたのに対し、本発明は内Ｒ壁面６、及び該内Ｒ壁面６上に連続して設けられたボール制止壁１０ａ，１０ｂ，１０ｃ，・・・にて、常に前記ピッチ面２ボールを戻してやることで、中断のない連続したゲームが行えるようになった。
【００３０】
またハーフウエイライン４を挟んで対向して設けられたゴール５，５’はピッチ面２より２ｍ程高い空中に設置されていて、空中に浮いたボールのみがゴール出来るよう構成されていることから、プレイはボールを空中で操るジャンピングヘディグシュートやボレーシュート、或いはオーバーヘッドキック等、派手やかで、見応えのあるテクニックをふんだんに用いた好ゲームが期待できる。
【００３１】
更に、本発明のピッチ構造は小型で持ち運びが比較的簡単なことから、スペースのないイベント会場で組立て使用したりする事が出来、より簡便な設備で運動量の激しいエキサイティングなゲームが少人数で楽しめるほか、プレイヤーにとっては、短時間の内に繰り返されるハードな動きに伴い、一人一人のボールに触れる回数が多くなり、対敵動作の敏捷性、プレイの早さ、ボール扱いの正確さを鍛えてサッカーの技術の向上に役立つ等の特徴を有するものであり、本発明の実施に依って得られる効果は極めて大きい。
【図面の簡単な説明】
【図１】本発明の実施例を示す斜視図である。
【図２】図１の平面図である。
【図３】本発明に使用されるゴールの一例を示す拡大斜視図である。
【図４】他の実施例を説明する側断面図である。
【図５】他の実施例を説明する側断面図である。
【図６】他の実施例を説明する側断面図である。
【符号の説明】
１　ピッチ構造体
２　ピッチ面
３　センターサークル
４　ハーフウエイライン
５，５’　ゴール
６　内Ｒ壁面
７　外側壁
８　立ち上がり部
９ａ，９ｂ，９ｃ，・・・　支柱
１０ａ，１０ｂ，１０ｃ，・・・　ボール制止壁
１１ａ，１１ｂ，１１ｃ，１１ｄ　隅部
１２，１２’　クロスバー
１３，１３’　ゴールポスト
１４　開口
１５　ゴールネット
１６　補助制止壁
１７　湾曲制止壁
１８　ネット
１９　ドーム
【図１】
2004033516.tif 000003
【図２】
2004033516.tif 000004
【図３】
2004033516.tif 000005
【図４】
2004033516.tif 000006
【図５】
2004033516.tif 000007
【図６】
2004033516.tif 000008